(57)【要約】【課題】本発明は照明制御システムに関し、商品の購買を促すことができる照明制御システムを得ることを目的とする。【解決手段】本発明に係る照明制御システムは、複数の照明器具と、該複数の照明器具のうち、該複数の照明器具が設けられた空間の内部の情報または外部から収集された情報に応じて売れやすいと予測された特定商品を照らす照明器具の明るさまたは色度を変化させる制御装置と、を備える。【選択図】図１
2020123545.tif 000002
【特許請求の範囲】
【請求項１】
複数の照明器具と、
前記複数の照明器具のうち、前記複数の照明器具が設けられた空間の内部の情報または外部から収集された情報に応じて売れやすいと予測された特定商品を照らす照明器具の明るさまたは色度を変化させる制御装置と、
を備えることを特徴とする照明制御システム。
【請求項２】
複数の照明器具と、
前記複数の照明器具が設けられた空間での人の動きを検出するセンサユニットと、
人の動線から特定商品の位置が外れている場合に、前記複数の照明器具のうち前記特定商品を照らす照明器具の明るさまたは色度を変化させる制御装置と、
を備え、
前記動線は、前記センサユニットが検出した情報に基づき特定されることを特徴とする照明制御システム。
【請求項３】
前記動線は、前記空間内の人の移動経路のうち人の通る頻度が予め定められた値よりも多い経路であることを特徴とする請求項２に記載の照明制御システム。
【請求項４】
前記動線はクラウドサーバーで特定されることを特徴とする請求項２または３に記載の照明制御システム。
【請求項５】
複数の照明器具と、
前記複数の照明器具が設けられた空間での人の存在を検出するセンサユニットと、
人が閾値よりも少ないエリアに特定商品が配置されている場合に、前記複数の照明器具のうち前記特定商品を照らす照明器具の明るさまたは色度を変化させる制御装置と、
を備え、
前記エリアは、前記センサユニットが検出した情報に基づき特定されることを特徴とする照明制御システム。
【請求項６】
前記特定商品は、前記空間の内部の情報または外部から収集された情報に応じて売れやすいと予測された商品であることを特徴とする請求項２から５の何れか１項に記載の照明制御システム。
【請求項７】
前記センサユニットは、前記空間の温度または湿度を検出し、
前記特定商品は、前記空間の温度または湿度に応じて売れやすいと予測された商品であることを特徴とする請求項２から６の何れか１項に記載の照明制御システム。
【請求項８】
前記センサユニットは、前記空間に存在する人のにおいを検出し、
前記特定商品は、前記においに応じて売れやすいと予測された商品であることを特徴とする請求項２から７の何れか１項に記載の照明制御システム。
【請求項９】
前記制御装置は、ニュースまたはＳＮＳから出現頻度が規定値よりも高いキーワードを収集し、
前記特定商品は、前記キーワードに基づいて特定されることを特徴とする請求項１から８の何れか１項に記載の照明制御システム。
【請求項１０】
前記制御装置は気象予測情報を収集し、
前記特定商品は、前記気象予測情報に基づいて売れやすいと予測された商品であることを特徴とする請求項１から９の何れか１項に記載の照明制御システム。
【請求項１１】
前記制御装置は、ＰＯＳシステムから商品情報を収集し、
前記特定商品は、前記商品情報に基づいて売れやすいと予測された商品であることを特徴とする請求項１から１０の何れか１項に記載の照明制御システム。
【請求項１２】
前記特定商品は、クラウドサーバーで特定されることを特徴とする請求項１から１１の何れか１項に記載の照明制御システム。
【発明の詳細な説明】
【技術分野】
【０００１】
本発明は、照明制御システムに関する。
【背景技術】
【０００２】
特許文献１には、環境内に配置された照明装置を操作する方法が開示されている。この方法では、感知装置を使用して一つの環境に対応する照明データを取得し、プロセッサにより照明データから環境の照明状態を判定する。また、感知装置を使用して環境内の個人の存在データを取得し、プロセッサにより存在データから環境内に存在する個人の数を判定する。さらに、環境の照明状態並びに環境内にいる個人の存在に基づいて、プロセッサにより照明装置で受信可能な起動信号を生成する。
【先行技術文献】
【特許文献】
【０００３】
【特許文献１】特開２０１７−０５０２８０号公報
【発明の概要】
【発明が解決しようとする課題】
【０００４】
特許文献１では、空間内に在籍する人の情報に基づき照明装置が制御されるが、照明制御により人に購買を促すことは想定されていない。
【０００５】
本発明は、上述の課題を解決するためになされたもので、商品の購買を促すことができる照明制御システムを得ることを目的とする。
【課題を解決するための手段】
【０００６】
本発明に係る照明制御システムは、複数の照明器具と、該複数の照明器具のうち、該複数の照明器具が設けられた空間の内部の情報または外部から収集された情報に応じて売れやすいと予測された特定商品を照らす照明器具の明るさまたは色度を変化させる制御装置と、を備える。
【０００７】
本発明に係る照明制御システムは、複数の照明器具と、該複数の照明器具が設けられた空間での人の動きを検出するセンサユニットと、人の動線から特定商品の位置が外れている場合に、該複数の照明器具のうち該特定商品を照らす照明器具の明るさまたは色度を変化させる制御装置と、を備え、該動線は、該センサユニットが検出した情報に基づき特定される。
【０００８】
本発明に係る照明制御システムは、複数の照明器具と、該複数の照明器具が設けられた空間での人の存在を検出するセンサユニットと、人が閾値よりも少ないエリアに特定商品が配置されている場合に、該複数の照明器具のうち該特定商品を照らす照明器具の明るさまたは色度を変化させる制御装置と、を備え、該エリアは、該センサユニットが検出した情報に基づき特定される。
【発明の効果】
【０００９】
本発明に係る照明制御システムでは、制御装置が特定商品を照らす照明器具の明るさまたは色度を変化させる。このため、特定商品の購買を促すことができる
【図面の簡単な説明】
【００１０】
【図１】実施の形態１に係る調光システムを説明する図である。
【図２】実施の形態１に係る照明器具を説明する図である。
【図３】実施の形態１に係るセンサユニットを説明する図である。
【図４】実施の形態１に係る調光システムの動作を示すフローチャートである。
【図５】実施の形態１の比較例に係る調光システムを説明する図である。
【発明を実施するための形態】
【００１１】
本発明の実施の形態に係る照明制御システムについて図面を参照して説明する。同じ又は対応する構成要素には同じ符号を付し、説明の繰り返しを省略する場合がある。
【００１２】
実施の形態１．
図１は、実施の形態１に係る調光システム１００を説明する図である。調光システム１００は、照明制御システム１、複数のセンサユニット１７および情報収集端末１８を備える。照明制御システム１は、複数の照明器具１０、通信線６、通信装置２、照明制御通信線４および制御端末３を備える。制御端末３と情報収集端末１８は制御装置を構成する。
【００１３】
複数の照明器具１０は通信線６で通信装置２と接続される。通信装置２は照明制御通信線４により制御端末３と接続される。通信線６と照明制御通信線４は、有線でも無線でもかまわない。無線は例えばＷｉ−Ｆｉ（登録商標）である。
【００１４】
制御端末３は情報収集端末１８にネットワーク５ａを介して接続される。情報収集端末１８は、センサユニット１７とネットワーク５ａを介して接続される。情報収集端末１８はセンサユニット１７からの情報を収集する。また、情報収集端末１８はネットワーク５ｂを介して情報コンテンツ１９に接続される。情報コンテンツ１９は、例えばニュース、気象予測情報、ＳＮＳ（Ｓｏｃｉａｌ  Ｎｅｔｗｏｒｋｉｎｇ  Ｓｅｒｖｉｃｅ）、ＰＯＳ（Ｐｏｉｎｔ  ｏｆ  ｓａｌｅ）システムなどを含む。ＳＮＳはＦａｃｅｂｏｏｋ（登録商標）、Ｔｗｉｔｔｅｒ（登録商標）等である。情報収集端末１８は情報コンテンツ１９から情報を収集する。
【００１５】
情報収集端末１８はネットワーク５ｃを介してクラウドサーバー２０に接続される。情報収集端末１８は、自身が収集した情報をクラウドサーバー２０に解析させる。クラウドサーバー２０は例えばビックデータ解析を行う。また、情報収集端末１８は、クラウドサーバー２０の解析結果を受信する。
【００１６】
複数の照明器具１０は空間３０に設けられる。複数の照明器具１０の各々は、特定の空間３０を照らすために光１３を放射する。複数の照明器具１０は、例えば空間３０の天井に設置される。複数の照明器具１０の設置箇所はこれに限らない。空間３０には、例えば複数の商品棚１５、１６が設けられる。複数の商品棚１５、１６には商品が収納、陳列されている。複数の照明器具１０は商品を照らす。
【００１７】
図２は、実施の形態１に係る照明器具１０を説明する図である。照明器具１０は、発光部１２と制御ユニット９を備える。発光部１２は、光源として例えば複数のＬＥＤ（Ｌｉｇｈｔ  Ｅｍｉｔｔｉｎｇ  Ｄｉｏｄｅ）を備える。制御ユニット９は制御器７と電源装置８から構成される。電源装置８は発光部１２に電力を供給し点灯させる。制御器７は通信線６に接続される。制御器７は通信線６を介して制御端末３が発信した調光指令を受信する。制御器７は、受信した調光指令に従い電源装置８を制御する。これにより、制御器７は発光部１２から発光される光１３を制御する。
【００１８】
図３は、実施の形態１に係るセンサユニット１７を説明する図である。複数のセンサユニット１７は、複数の照明器具１０が設置される空間３０と同一空間に設置される。各々のセンサユニット１７は、カメラ２２、マイク２３、温湿度センサ２４、においセンサ２５および通信装置２１を備える。カメラ２２およびマイク２３は、空間３０での人の動きを検出する。カメラ２２およびマイク２３は、空間３０での人の存在を検出しても良い。温湿度センサ２４は、空間３０の温度または湿度を検出する。においセンサ２５は、空間３０に存在する人のにおいを検出する。においセンサ２５は、体臭に限らず、空間３０のにおいを検出しても良い。
【００１９】
通信装置２１はネットワーク５ａを介して情報収集端末１８に接続される。センサユニット１７が検出した空間３０の内部の情報は、通信装置２１により情報収集端末１８に送信される。情報収集端末１８とセンサユニット１７の接続は、有線でも無線でも良い。
【００２０】
センサユニット１７は電力を外部電源から直接給電されても良い。これに限らず、センサユニット１７は照明器具１０に接続され、電源装置８から給電されても良い。また、センサユニット１７は照明器具１０に組込まれ、一体の機器として構成されても良い。各々の照明器具１０にセンサユニット１７が接続されても良い。これにより、空間３０全体の状態をセンサユニット１７で検出できる。これに限らず、センサユニット１７は空間３０に１つ以上設けられれば良い。また、センサユニット１７は照明制御システム１に含まれても良い。
【００２１】
図４は、実施の形態１に係る調光システム１００の動作を示すフローチャートである。図４を用いて調光システム１００の動作を説明する。センサユニット１７は、空間３０内の顧客の動きをカメラ２２でセンシングする（Ｓ１０１）。また、センサユニット１７は、マイク２３を用いて、人のざわめき、声、会話または人が行動する際に発する音を拾う。センサユニット１７は、マイク２３で顧客の動きをセンシングする（Ｓ１０２）。センサユニット１７は、マイク２３で人がいるエリアをセンシングしても良い。
【００２２】
センサユニット１７は、温湿度センサ２４で空間３０内の温湿度をセンシングする（Ｓ１０３）。また、センサユニット１７は、においセンサ２５で顧客の体臭をセンシングする（Ｓ１０４）。
【００２３】
情報収集端末１８はネットワーク５ｂを介して、現在のニュースを収集する。情報収集端末１８はニュースにおいて多く発信されているキーワードを収集する（Ｓ１０５）。また、情報収集端末１８はネットワーク５ｂを介して、ＳＮＳの投稿情報を収集する。情報収集端末１８は、ＳＮＳの投稿情報から出現頻度の高いキーワードを収集する（Ｓ１０６）。ここで、情報収集端末１８は、ニュースまたはＳＮＳから出現頻度が規定値よりも高いキーワードを収集するものとしても良い。
【００２４】
情報収集端末１８はネットワーク５ｂを介して気象予測情報を収集する（Ｓ１０７）。これにより情報収集端末１８は、今後の温湿度情報、気候情報を収集する。情報収集端末１８は、気象予測情報から気候変動情報を収集しても良い。
【００２５】
また、情報収集端末１８は、ＰＯＳシステムから商品売り上げ動向についての情報を抽出する。ここで、ＰＯＳシステムは、空間３０内の商品売り上げ動向を管理するシステムである。情報収集端末１８は、ネットワーク５ｂを介して空間３０内のＰＯＳシステムから売り上げが増大傾向にある商品情報を収集する（Ｓ１０８）。なお、ＰＯＳシステムと情報収集端末１８は、ネットワーク５ｂを介さず直接繋がっていてもよい。また、情報収集端末１８は、空間３０外の商品売り上げ動向についての情報を抽出しても良い。
【００２６】
クラウドサーバー２０は、情報収集端末１８を介して、センサユニット１７が検出した人の動きまたは存在についての情報を受信する。クラウドサーバー２０は、受信した情報を解析し、空間３０における顧客の動線を洗い出す（Ｓ１０９）。動線はクラウドサーバー２０で特定される。ここで、動線は空間３０内の人の移動経路のうち、人の通る頻度が予め定められた値よりも多い経路であっても良い。また、動線は空間３０内の人の移動経路のうち、人の通る頻度が最も多い経路であっても良い。
【００２７】
また、クラウドサーバー２０は、情報収集端末１８がセンサユニット１７から収集した人の動線から、人の動きが少ないエリアを抽出しても良い。また、クラウドサーバー２０は、人が閾値よりも少ないエリアを特定しても良い。
【００２８】
クラウドサーバー２０は、Ｓ１０３、Ｓ１０４においてセンサユニット１７が検出した空間３０の温度、湿度および人の体臭についての情報を、情報収集端末１８を介して受信する。クラウドサーバー２０は、受信した情報から、空間３０内における人の快適性を洗い出す。クラウドサーバー２０は、空間３０内の人が不快適であると判別した場合、空間３０内に陳列された商品のうち不快適な状態を脱するために顧客が求める商品を抽出する（Ｓ１１０）。このように、クラウドサーバー２０は、空間３０の温度、湿度、においに応じて、売れやすいと予測された商品を特定商品として特定する。この特定商品は、現在顧客が求める傾向にある商品である。
【００２９】
クラウドサーバー２０は、空間３０内に陳列された商品のうち、Ｓ１０５、Ｓ１０６において情報収集端末１８が収集したキーワードに合致する商品を抽出する（Ｓ１１１）。このように、クラウドサーバー２０は、情報収集端末１８が収集したキーワードに基づいて特定商品を特定する。この特定商品は、現在顧客が求める傾向にある商品である。
【００３０】
クラウドサーバー２０は、Ｓ１０７において情報収集端末１８が収集した気象予測情報から、売上が増大すると予測される商品カテゴリーを抽出する（Ｓ１１２）。このように、クラウドサーバー２０は、気象予測情報に基づいて売れやすいと予測された商品を特定商品として特定する。この特定商品は、今後顧客が求めると予測される商品である。例えば、気象予測情報が降雨を予測する情報である場合、特定商品は雨具である。
【００３１】
また、クラウドサーバー２０は、Ｓ１０８において情報収集端末１８が収集した商品情報から、売上が増大すると予測される商品カテゴリーを抽出する（Ｓ１１２）。クラウドサーバー２０は、商品情報に基づいて売れやすいと予測された商品を特定商品として特定する。この特定商品は、今後顧客が求めると予測される商品である。
【００３２】
クラウドサーバー２０は、Ｓ１０９で洗い出された動線から外れたエリアを抽出する。クラウドサーバー２０は、Ｓ１１０で抽出された特定商品のうち、動線から外れた位置にある特定商品を抽出する（Ｓ１１３）。同様にクラウドサーバー２０は、Ｓ１１１で抽出された特定商品のうち、動線から外れた位置にある特定商品を抽出する（Ｓ１１４）。また、クラウドサーバー２０は、Ｓ１１２で抽出された特定商品のうち、動線から外れた位置にある特定商品を抽出する（Ｓ１１５）。
【００３３】
クラウドサーバー２０は、Ｓ１１３、Ｓ１１４、Ｓ１１５で抽出された動線から外れた特定商品が配置されたエリアを特定する（Ｓ１１６）。クラウドサーバー２０はＳ１１６で特定されたエリアを情報収集端末１８に発信する。ここで、クラウドサーバー２０は、動線から外れたエリアとＳ１１０、Ｓ１１１、Ｓ１１２で得られた商品を比較し、動線から外れたエリアかつ特定商品があるエリアを絞り込んでも良い。
【００３４】
制御端末３は、Ｓ１１６で得られたエリア情報を、情報収集端末１８を介してクラウドサーバー２０から受信する。制御端末３は、Ｓ１１６で特定されたエリアにある照明器具１０を特定する（Ｓ１１７）。ここでは複数の照明器具１０うち照明器具１１が特定されたとする。照明器具１１は、動線から外れた位置にある特定商品１５ａを照らす。
【００３５】
制御端末３は、情報収集端末１８からの制御信号に応じて、特定された照明器具１１に調光指令を送る（Ｓ１１８）。制御端末３は、照明器具１１の明るさまたは色度を変化させる。制御端末３は、照明器具１１の調光度を上げても良く、光１４の色を変化させても良い。また、制御端末３は、照明器具１１を明滅させても良い。
【００３６】
照明器具１１は、制御端末３からの調光指令に従い動作する。照明器具１１の点灯状態は、制御端末３からの調光指令に応じて変化する。この結果、照明器具１１の光１４は、他の照明器具１０の光１３と異なる明るさまたは色度となり、光１３と比較して強調される。このため、照明器具１１で照らされた特定商品１５ａのエリアが強調される。これにより、照明器具１１は、照明器具１１が照射するエリアに顧客を誘導する（Ｓ１１９）。従って、特定商品１５ａの購買を促すことができ、照明制御システム１が設けられた店舗の売上を向上できる。
【００３７】
なお、空間３０内に図示しないスピーカーまたはデジタルサイネージを設けても良い。動線から外れた位置にある特定商品についての情報を、スピーカーから音声データとして出力することで、顧客に購買を促しても良い。また、動線から外れた位置にある特定商品についての情報を、デジタルサイネージに表示させることで、顧客に購買を促しても良い。
【００３８】
図５は、実施の形態１の比較例に係る調光システム２００を説明する図である。調光システム２００は、照明制御システム２０１および複数の人感センサ２６を備える。調光システム２００では、センサユニット１７に代えて人感センサ２６からの情報により照明制御が行われる。このため、人の在、不在に応じた照明制御のみが可能である。また、照明制御システム２０１と人感センサ２６は、情報収集端末１８等の外部装置と接続されない。このため、ネットワークを介して、空間３０の外部の情報を取り入れることが出来ない。
【００３９】
これに対し、本実施の形態では、複数の照明器具１０がある空間３０以外からも幅広く情報を集める。また、人の在、不在に限らず、人の動線の情報が照明制御に用いられる。
【００４０】
本実施の形態では、空間３０の内部の情報と、空間３０の外部から収集された情報との解析結果を用いて複数の照明器具１０を制御する。空間３０の内部の情報は、例えばセンサユニット１７が検出する人の行動、人の在、不在、温湿度情報またはにおいである。空間３０の外部から収集された情報は、例えばインターネット内の情報であり、現在世間で注目されているキーワード、気象予測情報またはＰＯＳシステムからの商品情報等である。このように、多様な情報を用いることで、顧客に特定商品の購買を促すような調光制御が可能になる。
【００４１】
また、調光システム１００をクラウドサーバー２０に接続することで、人の動線、人が現在注目する商品または人が今後注目する商品を抽出できる。このような解析結果を組み合わせることで、売れやすいと予測される一方で人の動線から外れている特定商品を、照明器具１１の光１４で強調することができる。これにより、特定商品に人の注目を集めさせ、人の流れを特定商品のエリアに導き、特定商品の購買を促進させることができる。
【００４２】
また、本実施の形態の照明制御システム１は、外部からエリア情報を受信し、エリア情報に対応する照明器具１１を調光制御すれば良い。特定商品および動線の特定は外部装置で行われるため、照明制御システム１での複雑な解析が不要となる。従って、照明制御システム１の構成を簡易化、標準化できる。
【００４３】
本実施の形態において制御端末３は、人の動線から特定商品の位置が外れている場合に、複数の照明器具１０のうち特定商品を照らす照明器具１１の明るさまたは色度を変化させた。人の動線は、センサユニット１７が検出した情報に基づき特定される。これに限らず、制御端末３は、人が閾値よりも少ないエリアに特定商品が配置されている場合に、特定商品を照らす照明器具１１の明るさまたは色度を変化させても良い。この場合、センサユニット１７は、空間３０での人の存在を検出し、人が閾値よりも少ないエリアはセンサユニット１７が検出した情報に基づき特定される。
【００４４】
また、人の動線から特定商品の位置が外れていない場合に、制御端末３は複数の照明器具１０のうち特定商品を照らす照明器具１１の明るさまたは色度を変化させても良い。この場合にも、特定商品を強調し、購買を促進させることができる。
【００４５】
また、情報収集端末１８が収集する情報は、上述したものに限らない。特定商品は、空間３０の内部のあらゆる情報または外部から収集されたあらゆる情報に応じて、売れやすいと予測された商品であっても良い。例えば、情報収集端末１８はセンサユニット１７から空間３０の混雑度についての情報を収集し、クラウドサーバー２０は空間３０の混雑度に応じて特定商品を特定しても良い。
【００４６】
また、特定商品は、売れやすいと予測された商品に限らず、調光システム１００の使用者が、他の商品よりも強調したい商品または販売数を向上したい商品であっても良い。また、複数の照明器具１０で照らされる対象は商品に限らず展示品等でも良い。
【００４７】
また、センサユニット１７は、図３で示される複数のセンサのうち一部を有しても良い。また、センサユニット１７は、図３で示される複数のセンサ以外のセンサを有しても良い。また、調光システム１００は、全てのセンサのうち一部を使用して調光制御を行っても良い。
【００４８】
また、本実施の形態では、クラウドサーバー２０が特定商品および動線の特定を行った。また、情報収集端末１８が空間３０の内部および外部の情報の収集を行った。これに限らず、制御端末３または情報収集端末１８が特定商品および動線の特定を行っても良い。また、制御端末３またはクラウドサーバー２０が内部の情報および外部情報の収集を行っても良い。また、制御端末３、情報収集端末１８およびクラウドサーバー２０は１つの一体化された端末でも良い。制御端末３、情報収集端末１８およびクラウドサーバー２０の一部が１つの端末として構成されても良い。
【００４９】
なお、本実施の形態で説明した技術的特徴は適宜に組み合わせて用いてもよい。
【符号の説明】
【００５０】
１  照明制御システム、２  通信装置、３  制御端末、４  照明制御通信線
【図１】
2020123545.tif 000003
【図２】
2020123545.tif 000004
【図３】
2020123545.tif 000005
【図４】
2020123545.tif 000006
【図５】
2020123545.tif 000007